(57)【要約】【課題】デコルテ部分への施術による、エステティックの効果を明確に知らしめ、以て、エステティック施術を行う場所と、施術のポイントを的確に施術者に伝える或いは理解させる手段を提供する。【解決手段】デコルテ部分への施術を構成要素とする、エステティックの説明表示であって、顔面に於ける前記デコルテ部分へのエステティック施術の効果乃至はフェイスラインに対する前記デコルテ部分へのエステティック施術の効果を表示したエステティックの説明表示を載せた教本を提供する。【選択図】  なし【特許請求の範囲】
【請求項１】
デコルテ部分への施術を構成要素とする、エステティックの説明表示であって、顔面に於ける前記デコルテ部分へのエステティック施術の効果乃至はフェイスラインに対する前記デコルテ部分へのエステティック施術の効果を表示したことを特徴とする、エステティックの説明表示。
【請求項２】
デコルテ部分への施術を構成要素とする、エステティック施術の手技の説明表示であって、顔面に於ける前記デコルテ部分へのエステティック施術の効果乃至はフェイスラインに対する前記デコルテ部分へのエステティック施術の効果を表示したエステティックの説明表示に於いて、前記エステティックの施術効果が、内眼角周辺の皮膚温度の変化、内眼角下部の酸化ヘモグロビンの変化、目周囲部及び／又は頬部の肌色の変化及びフェイスライン周辺の形態変化から選ばれる１種乃至は２種以上であることを特徴とする、請求項１に記載のエステティックの説明表示。
【請求項３】
内眼角周辺の皮膚温度の変化が、顔のイメージデータ上に描かれた皮膚温の等温線によって表されることを特徴とする、請求項２に記載のエステティックの説明表示。
【請求項４】
内眼角下部の酸化ヘモグロビンの変化が、ヘモグロビン酸素飽和度の変化で表されることを特徴とする、請求項２に記載のエステティックの説明表示。
【請求項５】
目周囲部及び／又は頬部の肌色の変化が、肌色が明るくなる変化であることを特徴とする、請求項２に記載のエステティックの説明表示。
【請求項６】
更に、１個乃至は２個以上の標準色の色票を配することを特徴とする、請求項５に記載のエステティックの説明表示。
【請求項７】
フェイスライン周辺の形態変化が、フェイスライン周辺の３次元計測値の変化であることを特徴とする、請求項２に記載のエステティックの説明表示。
【請求項８】
請求項１〜７何れか１項に記載のエステティックの説明表示に於いて、その表示が淡いピンクのイメージに配色されていることを特徴とする、請求項１〜７何れか１項に記載のエステティックの説明表示。
【請求項９】
前記淡いピンクのイメージの配色が、白地を背景に淡いピンク色の縁取りと表題の淡いピンク色の囲みによって創出されていることを特徴とする、請求項８に記載のエステティックの説明表示。
【請求項１０】
淡いピンク色がＨＢＳ表色系に於ける色座標で、明度が７．５〜９．５、色相が２４ＲＰ〜６ｙＯ、彩度が３ｓ〜９ｓの領域の色であることを特徴とする、請求項９に記載のエステティックの説明表示。
【発明の詳細な説明】
【０００１】
【発明の属する技術分野】
本発明は、適切にデコルテ部分にエステティックの施術を行い、目のクマや頬部のくすみ改善或いは顔のたるみやフェイスラインの改善を奏するのに有用な、エステティックの説明表示に関する。
【０００２】
【従来の技術】
マッサージは、顔を中心として、自分自身の身体への物理的刺激を与えることにより、生体のホメオスタシスを整える目的で古くより行われており、その効果については、多くの人に認められている。現代においては、代替医療の補助手段の一つに挙げられることもあり、その認知度は高まると同時に、これからマッサージが、健康の維持に果たして行くであろう役割について、大きな期待も寄せられていると言える。特に、老化制御を対象とした、顔を効果発現の対象とする分野においては、この様な期待は、他の部位に比べてより大きなものであるといえる。しかしながら、マッサージの効果については、認知がされているにもかかわらず、実証は殆ど無く、実際科学的にマッサージが生体にどの様な作用を及ぼしているかについては、客観的証明はあまり無いと言える。マッサージの効果として知られているものとしては、顔へのマッサージ施術の心臓の自律神経バランスを整え、脈拍を安定なものにする作用（特開２０００−２１０２９０）、顔へのマッサージのコルチゾール等のストレス性ホルモンの分泌量を減らす作用（特開平１１−２３５７９）、顔へのマッサージの、顔の血流量を増大させ、顔の全表面の温度を高める作用（特開平９−４７４８０）、全身を対象とするマッサージに於ける、血中酸素濃度の上昇作用、体表温度の上昇作用及び筋硬度低下作用（特開２００２−２２４１８２）等が挙げられる。これら作用は何れも全身乃至は比較的広い部分或いは直接的な部分への作用であって、遠隔的な特定部位へ特異的にマッサージの効果が現れることは全く知られていないし、その様な作用発現に好適な製剤も知られていない。従って、デコルテ部へマッサージの施術を行うことにより、その結果、顔面の体液循環を特に改善し、この部分に於ける血流量増大、血中のヘモグロビン酸素飽和度などを上昇等の効果として現れることは知られていなかった。又、この様な顔面の体液循環改善が顔のたるみ改善にも有用であることも全く知られていなかった。かかる作用は、デコルテ部分にエステティック施術をただ行えば得られるのではなく、適切な箇所に、適切な処置を行わなければ得ることは出来ない。その意味に於いて、エステティック施術を行う場所と、施術のポイントを的確に施術者に伝える或いは理解させる必要があり、その様な説明技術の開発が望まれていた。
【０００３】
一方、エステティックの施術の説明技術としては、その施術ステップをフローチャートで表示することにより、被施術者にその目的と得られる効果を説明し、施術効果を高める技術（特開２００２−２０７４２１、２００２−２０７４２０）或いは、実際の施術手順をコンピューターを用いた編集画像により説明する技術（特表平１１−５０３５４０）等が知られているが、デコルテ部分への施術を構成要素とする、エステティック施術の手技の説明表示であって、顔面に於ける前記デコルテ部分へのエステティック施術の効果乃至はフェイスラインに対する前記デコルテ部分へのエステティック施術の効果を表示したエステティックの説明表示は知られていないし、この様な表示により、デコルテ部分へのエステティックの施術が正確に行われるようになり、優れた内眼角周辺の皮膚温度の顕著な上昇、内眼角下部の酸化ヘモグロビンの増加、目周囲部及び／又は頬部の肌色のくすみの解消及びフェイスライン周辺の形態におけるたるみの解消等の効果が得られることも全く知られていなかった。
【０００４】
【発明が解決しようとする課題】
本発明は、デコルテ部分への施術による、エステティックの効果を明確に知らしめ、以て、エステティック施術を行う場所と、施術のポイントを的確に施術者に伝える或いは理解させる手段を提供することを課題とする。
【０００５】
【課題の解決手段】
本発明者らは、かかる状況に鑑みて、エステティックの効果を明確に知らしめ、以て、エステティック施術を行う場所と、施術のポイントを的確に施術者に伝える或いは理解させる手段を求めて、鋭意研究努力を重ねた結果、デコルテ部分への施術を構成要素とする、エステティック施術の手技の説明表示であって、目の周囲や頬部の色調に於ける前記デコルテ部分へのエステティック施術の効果乃至はフェイスラインに対する前記デコルテ部分へのエステティック施術の効果を表示したエステティックの説明表示が、この様な要件を備えていることを見出し、発明を完成させるに至った。即ち、本発明は、以下に示す技術に関するものである。
（１）デコルテ部分への施術を構成要素とする、エステティックの説明表示であって、顔面に於ける前記デコルテ部分へのエステティック施術の効果乃至はフェイスラインに対する前記デコルテ部分へのエステティック施術の効果を表示したことを特徴とする、エステティックの説明表示。
（２）デコルテ部分への施術を構成要素とする、エステティック施術の手技の説明表示であって、目の周囲及び頬部の色調に於ける前記デコルテ部分へのエステティック施術の効果乃至はフェイスラインに対する前記デコルテ部分へのエステティック施術の効果を表示したエステティックの説明表示に於いて、前記エステティックの施術効果が、内眼角周辺の皮膚温度の変化、内眼角下部の酸化ヘモグロビンの変化、目周囲部及び／又は頬部の肌色の変化及びフェイスライン周辺の形態変化から選ばれる１種乃至は２種以上であることを特徴とする、（１）に記載のエステティックの説明表示。
（３）内眼角周辺の皮膚温度の変化が、顔のイメージデータ上に描かれた皮膚温の等温線によって表されることを特徴とする、（２）に記載のエステティックの説明表示。
（４）内眼角下部の酸化ヘモグロビンの変化が、ヘモグロビン酸素飽和度の変化で表されることを特徴とする、（２）に記載のエステティックの説明表示。
（５）目周囲部及び／又は頬部の肌色の変化が、肌色が明るくなる変化であることを特徴とする、（２）に記載のエステティックの説明表示。
（６）更に、１個乃至は２個以上の標準色の色票を配することを特徴とする、（５）に記載のエステティックの説明表示。
（７）フェイスライン周辺の形態変化が、フェイスライン周辺の３次元計測値の変化であることを特徴とする、（２）に記載のエステティックの説明表示。
（８）（１）〜（７）何れか１項に記載のエステティックの説明表示に於いて、その表示が淡いピンクのイメージに配色されていることを特徴とする、（１）〜（７）何れか１項に記載のエステティックの説明表示。
（９）前記淡いピンクのイメージの配色が、白地を背景に淡いピンク色の縁取りと表題の淡いピンク色の囲みによって創出されていることを特徴とする、（８）に記載のエステティックの説明表示。
（１０）淡いピンク色がＨＢＳ表色系に於ける色座標で、明度が７．５〜９．５、色相が２４ＲＰ〜６ｙＯ、彩度が３ｓ〜９ｓの領域の色であることを特徴とする、（９）に記載のエステティックの説明表示。
【０００６】
本発明のエステティックの説明表示は、デコルテ部分への施術を構成要素とする、エステティックの説明表示であって、目の周囲及び頬部の色調に於ける前記デコルテ部分へのエステティック施術の効果乃至はフェイスラインに対する前記デコルテ部分へのエステティック施術の効果を表示したことを特徴とする。ここで、説明表示とは、施術の説明の表示全般を含めて意味する言葉であり、例えば、説明書、説明シート等の印刷媒体、これをディスプレイ上に表示した画面、或いは動画等がこの説明表示に含まれる。特に好適には、説明書や説明シートなどの印刷媒体が例示できる。これは、実際の施術中に傍らに置いて随時参考にすることが出来る為である。前記デコルテ部分への施術を構成要素とするエステティックは、本発明者らの検討によれば、内眼角周辺の皮膚温度の顕著な上昇、内眼角下部の酸化ヘモグロビンの増加、目周囲部及び／又は頬部の肌色のくすみの解消及びフェイスライン周辺の形態におけるたるみの解消等の効果を奏することを見出している。この様な効果は、デコルテ部分へのエステティック施術により、顔面、取り分け目の周囲部、頬部へ向かう血管、及び、リンパ節を刺激し、顔面、取り分け目の周囲部、頬部における体液循環を改善することにより、奏する効果と推察される。従って、この様な効果を的確に得る為には、デコルテ部分に於ける、血管、リンパ節に、適切な施術を加えることが肝要となる。デコルテ部分に於ける施術にあたって、この様な作用と効果の認識を的確に把握して行うことは、効果を意識せずに行うことに比して、極めて優れた効果を奏する。この様な効果認識を的確に移植するのに本発明の説明表示は著効を奏する。
【０００７】
本発明のエステティックの説明表示に於ける、デコルテ部分への施術の効果としては、例えば、内眼角周辺の皮膚温度の変化、内眼角下部の酸化ヘモグロビンの変化、目周囲部及び／又は頬部の肌色の変化及びフェイスライン周辺の形態変化から選ばれる１種乃至は２種以上として表されることが好ましい。内眼角周囲の皮膚温度は、顔画像上に表記された等温線で表示することが好ましい。かかる表示は、「サーモグラフィー」によって作成することが出来る。「サーモグラフィー」の測定機器としては、例えば、日本アビオニックス社から市販されている機械が好ましく例示できる。測定の手順は下記のものが好ましく例示できる。
【０００８】
（測定の手技）
測定条件：室温２５〜２６℃、湿度５０〜６０％
測定機器：サーモグラフィー→  Ａｖｉｏ  Ｔｈｅｒｍａｌ  Ｖｉｄｅｏ  Ｓｙｓｔｅｍ  ＴＶＳ−８０００
測定フロー：洗顔後１５分間安静  →  計測  →  施術  →  計測
サーモグラフィーの測定
計測目的、部位
・施術の効果測定の一貫として、皮膚温変化より血流状態の変化を類推することを目的に測定を行った。
・計測部分としては、首から上の頭部、目元とした。
解析方法
・サーモ画像の温度設定を２６−３６℃、及び２℃幅（温度値は各自異なる）とし、画像の色変化で血行促進状況を判断した
・主な観察部位は眼窩部、眉間、前頭部、鼻部、頬部、頚部とした。
【０００９】
内眼角下部の酸化ヘモグロビンの指標としては、ヘモグロビンインデックス（式１）、ヘモグロビン酸素飽和インデックス（式２）及びヘモグロビン酸素飽和度（式３）等が使用できる。これらの測定方法は以下に示す。
【００１０】
測定条件：室温２５〜２６℃、湿度５０〜６０％
測定機器：分光光度計  →ミノルタ社製  ＣＭ２００２
計測部位
・計測部位は内眼角下部を測定部位とした。
測定条件
・２度視野、Ｃ光源の条件で行った。
・ＣＭ２００２分光光度計を用いて、対象部位を３回測定し、その平均値を用いた。
解析方法
ＣＭ２００２から得られた４００〜７００ｎｍの反射率をミノルタ社製ソフト  彩チエックを用いて吸光度を算出し、Ｆｅａｔｈｅｒの式にあてはめ、ヘモグロビンインデックス（式１）、ヘモグロビン酸素飽和インデックス（式２）及びヘモグロビン酸素飽和度（式３）を算出した。本公式を下記に示すと
Ｈ＝［（Ｌ５４４−Ｌ５２７．５）／１６．５−（Ｌ５７３−Ｌ５４４）／２９］１００  （式１）
ＯＸ＝［（Ｌ５７３−Ｌ５５８．５）−（Ｌ５５８．５−Ｌ５４４）］１００／１４．５Ｈ  （式２）
ＳａＯ２（酸素飽和度％）＝（ＯＸ＋０．８２１）１００／１．９７  （式３）
但し、Ｌｘ：吸光度、Ｈ：ヘモグロビンインデックス、ＯＸ：ヘモグロビン酸素飽和インデックスとする。ＳａＯ２：ヘモグロビン酸素飽和度
【００１１】
目周囲部及び／又は頬部の肌色のくすみは色によって表現することが出来る。色は、例えば、周りの皮膚との色差、色座標などの数字でも表現できるが、実際のカラー写真を表示することが視覚的に的確に把握できるので好ましい。この時、白から黒までの明度の異なる無彩色を数色、３原色等の標準的な色票のマトリックスを添付しておくと、くすみ具合がより正確に把握できるので好ましい。
【００１２】
フェイスライン周辺の形態は、フェイスラインを含む顔の三次元立体構造を把握することにより、知ることが出来る。かかる三次元立体構造の測定は、非接触型三次元形状計測装置により、計測することが出来、この様な装置を使用して測定することが好ましい。この様な非接触型三次元形状計測装置は数種のものが市販されており、それを用いて計測することが出来る。例えば、ＮＥＣエンジニアリング株式会社より販売されているＤａｎａｅ−Ｒレンジファインダー等が好適に例示できる。（ｈｔｔｐ：／／ｗｗｗ．ｎｅｃ−ｅｎｇ．ｃｏ．ｊｐ／ｃｍ／ｆｉｎｄｅｒ）これにより、顔の形状の三次元測定が出来、その結果を種々の形で表示できるが、本発明の評価法においては、顔の正面図における色分け高低表示することが好ましい。特に、施術前後の変化を示す場合には、前後の高低の差の大きさに従って、色別表示することが好ましい。本発明のエステティックの説明表示に於いては、かかるフェイスライン周辺の形態の変化は、施術の前後に於ける、前記三次元立体構造の変化を高低変化の表示で色分けして表示することが好ましい。この様な形態変化に於いて、デコルテ部分へのエステティック施術は、頬のたるみ、目の周囲のむくみを取り除き、フェイスラインをすっきりさせる効果を奏し、頬から顎にかけてのフェイスラインがすっきりした印象になることを示す。
【００１３】
本発明のエステティックの説明表示に於いて、説明表示全体はピンクのイメージに仕上げることが好ましい。ここで、ピンクのイメージとしては、表示全体を淡いピンク色で色づけることによっても具現化出来るし、白地を背景色にして、縁取り、或いは表題などの表示内容の区切り単位のマークを淡いピンク色にすることによっても具現化できる。好ましい形態は、白地を背景に淡いピンク色の縁取りと表題の淡いピンク色の囲みによって創出されている形態である。尚、淡いピンク色とは、ＨＢＳ表色系に於ける色座標で、明度が７．５〜９．５、色相が２４ＲＰ〜６ｙＯ、彩度が３ｓ〜９ｓの領域の色（財団法人日本色彩研究所監修の色票による。）と定義付けできる。ここで、明度と彩度は連続的に変化する変量であり、色相は色の種類を円形に２４分類して配列したものであり、前記２４ＲＰ〜６ｙＯの変域の色相としては、２４ＲＰ、２Ｒ、４ｒＯ及び６ｙＯの４つの色相が存在する。これらの淡いピンク色で特に好ましい色としては、明度が９、色相が２Ｒ、彩度が５ｓの色が特に好適に例示できる。この様な背景デザインを施すことにより、前記解剖学的特徴の記載をより明確に印象づけることが出来る。これは前記淡いピンクの配色によるコントラストで、サーモグラフィー、酸化ヘモグロビンの変化を表すグラフ、目の周囲及び頬部の肌色変化（くすみの改善）、フェイスライン周辺の形態変化を表す三次元立体構造の変化を、正確に印象づけ、以て、デコルテ部分へのエステティックの施術の効果を明確に印象づけることが出来、的確な施術の実施を誘導することが出来るからである。
【００１４】
前記特徴を備えた本発明のエステティック施術手技の説明表示は、前記特徴的事項以外に、通常エステティック施術手技の説明表示に記載される事項を盛り込むことが出来る。この様な事項としては、例えば、軽擦法、強擦法、揉捏法、打法、振動法或いは圧迫法等の基本的な手技の説明、エステティックの施術のコースの説明、使用化粧料の説明、効果の説明等が例示できる。これらの説明に於いても、必須構成要件と同様に淡いピンクのイメージで配色することが好ましい。かくして作成された本発明の施術手技の説明表示は、デコルテ部分における、顔面の体液改善のための施術の手技を的確に施術者に伝達出来るので、エステティック施術手技の収得の為の教習教材などに有用である。勿論、これをインターネットなどのコンピュータネットワークを利用して提供することもでき、この様な技術も本発明の技術的範囲に属する。特に好ましい形態としては、デコルテ部分の解剖学的特徴の記載を載せることである。該解剖図には、筋肉、リンパ節の位置と血管の位置を明記することが好ましい。解剖図は全身の解剖図であっても構わないが、施術部位となる、頭頚部、胸部及びその背面のものが好ましい。これは、デコルテ部分に行うエステティック施術による効果が、顔面の体液循環を改善し、目の周囲のクマを改善したり、頬部のくすみや顔のたるみを改善したりするものであるからである。即ち、血管、リンパ節はエステティックの施術手技の被施術部分となり、筋肉はこれら血管、リンパ節のランドマークとなるからである。即ち、生体を観察した場合、リンパ節の位置は見えないし、血管の位置も深い部分に関してはみることが出来ないが、筋肉に関してはある程度は観察することが出来る。複数の筋肉の相対的な位置関係を統合することにより、リンパ節や深部血管の位置を知ることが出来る。重要なランドマークとしての筋肉は、僧帽筋、胸鎖乳突筋及び大胸筋であり、本発明の解剖学的特徴の記載にはこれら全てを表示しておくことが好ましい。この様な解剖学的特徴の記載は、白黒の解剖図によっても良いが、カラーの解剖図を利用することがより好ましい。この様な解剖学的特徴の記載を構成要素とすることにより、適切な施術箇所と施術方法の認識を施術者にイメージとして植えつけることが出来る。この時、デコルテ部分を丸で囲ったり、色を変えて目立つようにしたり強調しておくことが重要である。尚、デコルテ部分への施術効果については、本発明者らの別発明の明細書中（特願２００２−２８２０６３、特願２００２−３７６０５６及び特願２００２−３７６０５７）に記載してある。前記別出願の明細書にも記載してあるように、前記筋肉をランドマークとすることにより施術の的確性を上げることが出来る例を下記表１に示す。即ち、１）大胸筋の軽擦、２）鎖骨下のポイントプッシュ、３）僧帽筋の軽擦、４）肩側のポイントプッシュ、５）僧帽筋の引き上げ及び６）胸鎖乳突筋の軽擦の６ステップを構成とするデコルテ部分への施術において、このうちの１ステップを省略した場合の効果（目の周囲の温度上昇；サーモグラフィーで測定）の変化を示したものである。この結果からは、鎖骨下のプッシュ、僧帽筋の軽擦、僧帽筋の引き上げ及び胸鎖乳突筋の軽擦が、効果にとって重要な施術手技となっていることがわかる。即ち、筋肉をランドマークにすることにより、適切な施術位置を捉えることが出来ることを意味している。
【００１５】
【表１】
2004216011.tif 000002
【００１６】
【実施例】
以下に、実施例を挙げて本発明について更に詳細に説明を加えるが、本発明が、かかる実施例にのみ限定されないことは言うまでもない。
【００１７】
＜実施例１＞
エステティック・スクールの生徒をパネラーとして、１０人ずつ７群を作成し、図１に示す本発明のエステティックの説明表示を載せた教本（但し、図表は使わず、言葉のみの施術効果の特徴の記載；第１群）、図２に示す本発明のエステティックの説明表示を載せた教本（サーモグラフィーの結果を載せた説明；第２群）、図３に示すエステティックの説明表示を載せた教本（内眼角下部の酸素飽和度変化のグラフを載せた説明；第３群）、図４に示すエステティックの説明表示を載せた教本（目周辺及び頬部の肌色変化の写真を載せた説明；第４群）、図５に示すエステティックの説明表示を載せた教本（フェイスライン周辺の変化の三次元計測結果を施術前後の高低色分け表示で示した説明；第５群）、図６に示す、前記の全てのデータを載せた説明表示を載せた教本（第６群）及び手技のみの説明を載せた教本（対照群）を渡し、デコルテ部分への施術を行ってもらった。これらの測定は前述の如くに行った。被施術者は、他の群の生徒になってもらった。施術前後で目の周囲の測色を行い、ヘモグロビン酸素飽和インデックスを求めた。ヘモグロビン酸素飽和インデックスの算出は上記に示す方法に従って行った。結果を表２に示す。これより本発明のエステティックの説明表示を載せた教本を用いると対照群に比して、ヘモグロビン酸素飽和インデックスの増加度合いが大きくなり、より的確な施術が為されていたことが明らかになった。又、本発明のエステティックの説明表示では、言葉による効果説明よりも、具体的な効果を示す図表による説明の方がこの効果は大きいいことがわかる。尚、ヘモグロビン酸素飽和インデックスはその数値が大きいほど、ヘモグロビンが酸素を多く取り込んでいることを示し、血流などの体液循環が改善されていることの指標となる。又、前記効果のデータは多面的に、前記の全てのデータを載せた説明表示を載せた教本を用いる方が１つの効果データで説明するよりも好ましいことがわかる。
【００１８】
【表２】
2004216011.tif 000003
【００１９】
＜実施例２＞
実施例１で使用した図６に示す本発明のエステティックの説明表示を載せた教本の背景に色をつけて、実施例１と同様に検討を加えた。背景の色は、１群が淡い紫色（明度９、色相２３ＲＰ、彩度５ｓ）、１群が淡いピンク色（明度９、色相２Ｒ、彩度５ｓ）、残る１群が淡いオレンジ色（明度９、色相７ｒｙ、彩度５ｓ）とした。結果を表３に示す。これより背景を淡いピンク色とすることが特に好ましいことがわかる。
【００２０】
【表３】
2004216011.tif 000004
【００２１】
＜実施例３＞
淡いピンク色（色相２Ｒ、彩度５ｓ）の淡さ（明度）を変えて、実施例２と同様に検討を行った。結果を表４に示す。これより、明度の至適範囲は７．５〜９．５であることがわかる。
【００２２】
【表４】
2004216011.tif 000005
【００２３】
＜実施例４＞
淡いピンク色（明度９、色相２Ｒ）の彩度を変えて、実施例２、３と同様の検討を行った。結果を表５に示す。これより、本発明のエステティック施術手技の説明表示の背景の色としては、彩度が９ｓ〜３ｓのものが好ましいことがわかる。
【００２４】
【表５】
2004216011.tif 000006
【００２５】
＜実施例５＞
実施例２の淡いピンク色のデザインを、図７に示す様な、背景を白地にして、縁取りと章の見出し語の囲みのみを淡いピンク色（明度９、色相２Ｒ、彩度５ｓ）に塗ったものを用いて同様に検討を行ったところ、施術前のヘモグロビン酸素飽和インデックスは０．４１±０．３で施術後のヘモグロビン酸素インデックスは０．９５±０．３で、全体を淡いピンク色で塗りつぶさなくても、全体のイメージが淡いピンクになるように、縁取りと章の見出し語の囲みのみを淡いピンク色にすれば良いこと、及び、その様な形態の方が好ましいことがわかった。
【００２６】
＜実施例６＞
図８に示す様なカラーの頭頚部、胸部及びその背面の解剖図を載せた解剖学的特徴の記載を載せたエステティック施術手技の説明表示を示す図も加えた教本を用いて、同様に検討した。施術前のヘモグロビン酸素飽和インデックスは０．４０±０．３で施術後のヘモグロビン酸素インデックスは０．９８±０．３で、この様な説明も付した方が好ましいことがわかる。
【００２７】
【発明の効果】
本発明によれば、デコルテ部分への施術による、エステティックの効果を明確に知らしめ、以て、エステティック施術を行う場所と、施術のポイントを的確に施術者に伝える或いは理解させる手段を提供することができる。
【図面の簡単な説明】
【図１】実施例１の言葉のみのエステティックの説明表示を示す図である。
【図２】実施例１のサーモグラフィーの図を載せたエステティックの説明表示を示す図である。
【図３】実施例１の内眼角下部の酸素飽和度変化のグラフを載せたエステティックの説明表示を示す図である。
【図４】実施例１の目周辺及び頬部の肌色変化の写真を載せたエステティックの説明表示を示す図である。
【図５】フェイスライン周辺の変化の三次元計測結果を施術前後の高低色分け表示で示した図を載せたエステティックの説明表示を示す図である。
【図６】のサーモグラフィーの図、内眼角下部の酸素飽和度変化のグラフ、目周辺及び頬部の肌色変化の写真及びフェイスライン周辺の変化の三次元計測結果を施術前後の高低色分け表示で示した図を載せたエステティックの説明表示を示す図である。
【図７】縁取りを淡いピンク色としたエステティックの説明表示を示す図である。
【図８】実施例６のカラーの頭頚部、胸部その背面の解剖図を載せた解剖学的特徴の記載を載せたエステティック施術手技の説明表示を示す図である。
【図１】
2004216011.tif 000007
【図２】
2004216011.tif 000008
【図３】
2004216011.tif 000009
【図４】
2004216011.tif 000010
【図５】
2004216011.tif 000011
【図６】
2004216011.tif 000012
【図７】
2004216011.tif 000013
【図８】
2004216011.tif 000014